(57)【要約】【課題】引用したコンテンツと引用されたコンテンツとの間で、コミュニケーションする。【解決手段】  コンテンツ提供サーバ１は、第１のコンテンツデータＭ１を視聴中の第１のユーザ端末３から、第１の投稿データＰ１を取得するとともに、第２のコンテンツデータＭ２を視聴中の第２のユーザ端末４から、第２の投稿データＰ２を取得する取得部１１と、第１のユーザ端末３に、第１のコンテンツデータＭ１と第１の投稿データＰ１を出力するとともに、第２のユーザ端末４に、第２のコンテンツデータＭ２と第２の投稿データＰ２を出力し、第１のコンテンツデータＭ１において第２のコンテンツデータＭ２を引用して出力する場合、第１のユーザ端末３に、第２のコンテンツデータＭ２と、第２の投稿データＰ２を出力し、第２のユーザ端末４に、第１の投稿データＰ１を出力する出力部１２を備える。【選択図】図１
2019096122.tif 000002
【特許請求の範囲】
【請求項１】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のユーザ端末に、さらに、前記第２の投稿データを出力する
ことを特徴とするコンテンツ提供サーバ。
【請求項２】
前記出力部は、前記第２のユーザ端末に、前記第１のコンテンツデータの視聴者による盛り上がりの指標を出力する
ことを特徴とする請求項１に記載のコンテンツ提供サーバ。
【請求項３】
前記出力部は、前記第２のユーザ端末に、前記第１の投稿データを間引いて出力する
ことを特徴とする請求項１に記載のコンテンツ提供サーバ。
【請求項４】
前記第２のコンテンツデータは、動画データであって、
前記出力部は、第２のユーザ端末の前記第２のコンテンツデータの再生画面上に、前記第１の投稿データと前記第２の投稿データを区別して出力する
ことを特徴とする請求項１に記載のコンテンツ提供サーバ。
【請求項５】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のコンテンツデータにおいて前記第２のコンテンツデータを引用する前、前記第１のユーザ端末に、前記第２のコンテンツデータの属性情報を出力し、前記第１のコンテンツデータの属性情報を出力した後でかつ前記第２のコンテンツデータを引用する前に、前記第１の投稿データを、前記第２のユーザ端末に出力する
ことを特徴とする記載のコンテンツ提供サーバ。
【請求項６】
前記出力部は、
前記第２のコンテンツデータを引用した後、前記第２のユーザ端末に、引用する前に比べてより多くの第１の投稿データが出力されるように調整する
ことを特徴とする請求項５に記載のコンテンツ提供サーバ。
【請求項７】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のユーザ端末に、引用可能性のある引用コンテンツデータの候補として、複数のコンテンツデータの属性情報を出力し、前記第１のユーザ端末からの回答に基づいて、引用するコンテンツデータを決定する
ことを特徴とするコンテンツ提供サーバ。
【請求項８】
前記出力部は、
前記引用可能性のある複数の引用コンテンツデータの候補に前記第２のコンテンツデータが含まれる場合、前記第２のユーザ端末に、前記第１のコンテンツデータから引用される可能性を示すメッセージを出力する
ことを特徴とする請求項７に記載のコンテンツ提供サーバ。
【請求項９】
コンピュータを、請求項１ないし請求項８のいずれか１項に記載のコンテンツ提供サーバとして機能させるためのコンテンツ提供プログラム。
【請求項１０】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータと前記第２の投稿データを出力し、前記第２のユーザ端末に、前記第１の投稿データを出力する出力部を備え、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータと、前記第２の投稿データを出力し、
前記第２のユーザ端末は、
前記第２のコンテンツデータおよび前記第２の投稿データを出力するとともに、前記第１のコンテンツデータにおいて、前記第２のコンテンツデータを引用する場合、前記第１の投稿データを出力する
ことを特徴とするコンテンツ提供システム。
【請求項１１】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のコンテンツデータにおいて前記第２のコンテンツデータを引用する前、前記第１のユーザ端末に、前記第２のコンテンツデータの属性情報を出力し、前記第１のコンテンツデータの属性情報を出力した後でかつ前記第２のコンテンツデータを引用する前に、前記第１の投稿データを、前記第２のユーザ端末に出力し、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータを出力し、
前記第１のコンテンツデータにおいて前記第２のコンテンツデータを引用する前、前記第１のユーザ端末に、前記第２のコンテンツデータの属性情報を出力し、
前記第２のユーザ端末は、
前記第２のコンテンツデータおよび前記第２の投稿データを出力し、
前記第１のコンテンツデータの属性情報が前記第１のユーザ端末に出力された後でかつ前記第２のコンテンツデータを引用する前に、前記第１の投稿データを出力する
ことを特徴とするコンテンツ提供システム。
【請求項１２】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、第１のユーザ端末に、引用可能性のある引用コンテンツデータの候補として、複数のコンテンツデータの属性情報を出力し、前記第１のユーザ端末からの回答に基づいて、引用するコンテンツデータを決定し、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータを出力し、
前記第１のコンテンツデータにおいて前記第２のコンテンツデータを引用する前、前記第２のコンテンツデータの属性情報を出力し、
前記第２のユーザ端末は、
前記第２のコンテンツデータおよび前記第２の投稿データを出力し、
前記第１のコンテンツデータの属性情報が前記第１のユーザ端末に出力された後でかつ前記第２のコンテンツデータを引用する前に、前記第１の投稿データを出力する
ことを特徴とするコンテンツ提供システム。
【請求項１３】
コンテンツ提供サーバに接続し、第１のコンテンツデータを視聴するユーザ端末に用いられるユーザプログラムであって、
コンピュータを、
前記コンテンツ提供サーバから、前記第１のコンテンツデータと前記第１のコンテンツデータを視聴するユーザが入力した第１の投稿データを受信し、出力するとともに、前記第１のコンテンツデータにおいて、前記第２のコンテンツデータを引用する場合、前記コンテンツ提供サーバから、前記第２のコンテンツデータと前記第２のコンテンツデータを視聴するユーザが入力した第２の投稿データを受信し、出力する出力部として機能させる
ことを特徴とするユーザプログラム。
【請求項１４】
コンテンツ提供サーバに接続し、第１のコンテンツデータにおいて引用される第２のコンテンツデータを視聴するユーザ端末に用いられるユーザプログラムであって、
コンピュータを、
前記コンテンツ提供サーバから、前記第１のコンテンツデータを視聴するユーザが入力した第１の投稿データと、前記第２のコンテンツデータと、前記第２のコンテンツデータを視聴するユーザが入力した第２の投稿データとを受信し、出力する出力部として機能させ、
前記コンテンツ提供サーバは、前記第１のコンテンツデータにおいて前記第２のコンテンツデータを引用する前、前記第１のコンテンツデータを視聴するユーザ端末に、前記第２のコンテンツデータの属性情報を出力し、
前記出力部は、前記第１のコンテンツデータの属性情報が前記第１のコンテンツデータを視聴するユーザ端末に出力された後でかつ前記第２のコンテンツデータを引用する前に、前記コンテンツ提供サーバから前記第１の投稿データを受信し、出力する
ことを特徴とするユーザプログラム。
【請求項１５】
コンテンツ提供サーバに接続し、第１のコンテンツデータを視聴し、前記第１のコンテンツデータにおいて第２のコンテンツデータを引用するユーザ端末に用いられるユーザプログラムであって、
コンピュータを、
前記コンテンツ提供サーバから、前記第１のコンテンツデータを視聴するユーザが入力した第１の投稿データと、前記第１のコンテンツデータと、前記第２のコンテンツデータを受信し、出力する出力部として機能させ、
前記出力部は、引用可能性のある引用コンテンツデータの候補として、複数のコンテンツデータの属性情報を出力し、前記ユーザ端末からの回答に基づいて決定されたコンテンツデータを引用する
ことを特徴とするユーザプログラム。
【請求項１６】
コンテンツ提供サーバに接続し、第１のコンテンツデータにおいて引用される第２のコンテンツデータを視聴するユーザ端末に用いられるユーザプログラムであって、
コンピュータを、
前記コンテンツ提供サーバから、前記第１のコンテンツデータを視聴するユーザが入力した第１の投稿データと、前記第２のコンテンツデータと、前記第２のコンテンツデータを視聴するユーザが入力した第２の投稿データとを受信し、出力する出力部として機能させ、
前記コンテンツ提供サーバは、前記第１のコンテンツデータを視聴するユーザ端末に、引用可能性のある引用コンテンツデータの候補として、複数のコンテンツデータの属性情報を出力し、前記第１のコンテンツデータを視聴するユーザ端末からの回答に基づいて、引用するコンテンツデータを決定し、
前記出力部は、前記引用可能性のある複数の引用コンテンツデータの候補に前記第２のコンテンツデータが含まれる場合、前記第１のコンテンツデータから引用される可能性を示すメッセージを出力する
ことを特徴とするユーザプログラム。
【発明の詳細な説明】
【技術分野】
【０００１】
本発明は、ユーザ端末にコンテンツを提供するコンテンツ提供サーバ、コンテンツ提供プログラム、コンテンツ提供システムおよびユーザプログラムに関する。
【背景技術】
【０００２】
近年、パーソナルコンピュータ、タブレット端末、スマートフォン等の携帯端末、テレビジョン受信機、ゲーム機等の各種端末に、動画をストリーミング配信するコンテンツ提供サービスが普及している。コンテンツ提供サービスは、動画の視聴者が、視聴している動画に対するリアクションの一例として、動画の感想等のコメントを投稿できるサービスを提供している。
【０００３】
コンテンツ提供サービスは、視聴者が利用する端末に、動画と複数の視聴者から投稿されたコメントとを配信する。端末は、配信された動画にコメントを重畳して表示する。視聴者は、動画を見ながら、動画を視聴した他ユーザとコメントとのコメントのやりとりも楽しむことができる。
【０００４】
コンテンツ提供サービスは、動画データをリアルタイムに配信することも可能で、リアルタイムに配信された複数の動画を巡回するサービスも知られている（例えば非特許文献１）。このサービスでは、所定の動画の視聴者に対して、複数の動画を順次引用する。引用された動画の視聴者が入力したコメントは、引用された動画にも表示されるので、引用された動画の視聴者は、引用した動画の視聴者が入力したコメントを確認できる。
【先行技術文献】
【非特許文献】
【０００５】
【非特許文献１】株式会社ドワンゴ、"ニコ生クルーズとは"、［online］、［平成29年11月17日検索］、インターネット〈URL：http://live.nicovideo.jp/s/cruise〉
【発明の概要】
【発明が解決しようとする課題】
【０００６】
従来の動画の引用サービスにおいて、引用した動画の視聴者は、単に引用した動画を順次視聴するにすぎず、引用した動画と引用された動画との間で、充分なコミュニケーションを実現することができなかった。
【０００７】
従って本発明の目的は、引用したコンテンツと引用されたコンテンツとの間で、コミュニケーション可能なコンテンツ提供サーバ、コンテンツ提供プログラム、コンテンツ提供システムおよびユーザプログラムを提供することである。
【課題を解決するための手段】
【０００８】
上記課題を解決するために、本発明の第１の特徴は、コンテンツ提供サーバに関する。第１の特徴に係るコンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータを出力し、第２のユーザ端末に、第１の投稿データを出力する出力部を備え、出力部は、第１のユーザ端末に、さらに、第２の投稿データを出力する。
【０００９】
出力部は、第２のユーザ端末に、第１のコンテンツデータの視聴者による盛り上がりの指標を出力しても良い。
【００１０】
出力部は、第２のユーザ端末に、第１の投稿データを間引いて出力しても良い。
【００１１】
第２のコンテンツデータは、動画データであって、出力部は、第２のユーザ端末の第２のコンテンツデータの再生画面上に、第１の投稿データと第２の投稿データを区別して出力しても良い。
【００１２】
本発明の第２の特徴は、コンテンツ提供サーバに関する。第２の特徴に係るコンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータを出力し、第２のユーザ端末に、第１の投稿データを出力する出力部を備え、出力部は、第１のコンテンツデータにおいて第２のコンテンツデータを引用する前、第１のユーザ端末に、第２のコンテンツデータの属性情報を出力し、第１のコンテンツデータの属性情報を出力した後でかつ第２のコンテンツデータを引用する前に、第１の投稿データを、第２のユーザ端末に出力する。
【００１３】
出力部は、第２のコンテンツデータを引用した後、第２のユーザ端末に、引用する前に比べてより多くの第１の投稿データが出力されるように調整しても良い。
【００１４】
本発明の第３の特徴は、コンテンツ提供サーバに関する。第３の特徴に係るコンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータを出力し、第２のユーザ端末に、第１の投稿データを出力する出力部を備え、出力部は、第１のユーザ端末に、引用可能性のある引用コンテンツデータの候補として、複数のコンテンツデータの属性情報を出力し、第１のユーザ端末からの回答に基づいて、引用するコンテンツデータを決定する。
【００１５】
出力部は、引用可能性のある複数の引用コンテンツデータの候補に第２のコンテンツデータが含まれる場合、第２のユーザ端末に、第１のコンテンツデータから引用される可能性を示すメッセージを出力しても良い。
【００１６】
本発明の第４の特徴は、コンピュータを、第１ないし第3の特徴に記載のコンテンツ提供サーバとして機能させるためのコンテンツ提供プログラムに関する。
【００１７】
本発明の第５の特徴は、第１のユーザ端末、第２のユーザ端末および第１のユーザ端末および第２のユーザ端末に接続するコンテンツ提供サーバを備えるコンテンツ提供システムに関する。本発明の第５の特徴に係るコンテンツ提供システムにおいて、コンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータと第２の投稿データを出力し、第２のユーザ端末に、第１の投稿データを出力する出力部を備え、第１のユーザ端末は、第１のコンテンツデータおよび第１の投稿データを出力するとともに、第１のコンテンツデータにおいて、第２のコンテンツデータを引用する場合、第２のコンテンツデータと、第２の投稿データを出力し、第２のユーザ端末は、第２のコンテンツデータおよび第２の投稿データを出力するとともに、第１のコンテンツデータにおいて、第２のコンテンツデータを引用する場合、第１の投稿データを出力する。
【００１８】
本発明の第６の特徴は、第１のユーザ端末、第２のユーザ端末および第１のユーザ端末および第２のユーザ端末に接続するコンテンツ提供サーバを備えるコンテンツ提供システムに関する。本発明の第６の特徴に係るコンテンツ提供システムおいて、コンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータを出力し、第２のユーザ端末に、第１の投稿データを出力する出力部を備え、出力部は、第１のコンテンツデータにおいて第２のコンテンツデータを引用する前、第１のユーザ端末に、第２のコンテンツデータの属性情報を出力し、第１のコンテンツデータの属性情報を出力した後でかつ第２のコンテンツデータを引用する前に、第１の投稿データを、第２のユーザ端末に出力し、第１のユーザ端末は、第１のコンテンツデータおよび第１の投稿データを出力するとともに、第１のコンテンツデータにおいて、第２のコンテンツデータを引用する場合、第２のコンテンツデータを出力し、第１のコンテンツデータにおいて第２のコンテンツデータを引用する前、第１のユーザ端末に、第２のコンテンツデータの属性情報を出力し、第２のユーザ端末は、第２のコンテンツデータおよび第２の投稿データを出力し、第１のコンテンツデータの属性情報が第１のユーザ端末に出力された後でかつ第２のコンテンツデータを引用する前に、第１の投稿データを出力する。
【００１９】
本発明の第７の特徴は、第１のユーザ端末、第２のユーザ端末および第１のユーザ端末および第２のユーザ端末に接続するコンテンツ提供サーバを備えるコンテンツ提供システムに関する。本発明の第７の特徴に係るコンテンツ提供システムにおいて、コンテンツ提供サーバは、第１のコンテンツデータを視聴中の第１のユーザ端末から、第１の投稿データを取得するとともに、第２のコンテンツデータを視聴中の第２のユーザ端末から、第２の投稿データを取得する取得部と、第１のユーザ端末に、第１のコンテンツデータと第１の投稿データを出力するとともに、第２のユーザ端末に、第２のコンテンツデータと第２の投稿データを出力し、第１のコンテンツデータにおいて第２のコンテンツデータを引用して出力する場合、第１のユーザ端末に、第２のコンテンツデータを出力し、第２のユーザ端末に、第１の投稿データを出力する出力部を備え、出力部は、第１のユーザ端末に、引用可能性のある引用コンテンツデータの候補として、複数のコンテンツデータの属性情報を出力し、第１のユーザ端末からの回答に基づいて、引用するコンテンツデータを決定し、第１のユーザ端末は、第１のコンテンツデータおよび第１の投稿データを出力するとともに、第１のコンテンツデータにおいて、第２のコンテンツデータを引用する場合、第２のコンテンツデータを出力し、第１のコンテンツデータにおいて第２のコンテンツデータを引用する前、第２のコンテンツデータの属性情報を出力し、第２のユーザ端末は、第２のコンテンツデータおよび第２の投稿データを出力し、第１のコンテンツデータの属性情報が第１のユーザ端末に出力された後でかつ第２のコンテンツデータを引用する前に、第１の投稿データを出力する。
【００２０】
本発明の第８の特徴は、コンテンツ提供サーバに接続し、第１のコンテンツデータを視聴するユーザ端末に用いられるユーザプログラムに関する。本発明の第８の特徴に係るユーザプログラムは、コンピュータを、コンテンツ提供サーバから、第１のコンテンツデータと第１のコンテンツデータを視聴するユーザが入力した第１の投稿データを受信し、出力するとともに、第１のコンテンツデータにおいて、第２のコンテンツデータを引用する場合、コンテンツ提供サーバから、第２のコンテンツデータと第２のコンテンツデータを視聴するユーザが入力した第２の投稿データを受信し、出力する出力部として機能させる。
【００２１】
本発明の第９の特徴は、コンテンツ提供サーバに接続し、第１のコンテンツデータにおいて引用される第２のコンテンツデータを視聴するユーザ端末に用いられるユーザプログラムに関する。本発明の第９の特徴に係るユーザプログラムは、コンピュータを、コンテンツ提供サーバから、第１のコンテンツデータを視聴するユーザが入力した第１の投稿データと、第２のコンテンツデータと、第２のコンテンツデータを視聴するユーザが入力した第２の投稿データとを受信し、出力する出力部として機能させ、コンテンツ提供サーバは、第１のコンテンツデータにおいて第２のコンテンツデータを引用する前、第１のコンテンツデータを視聴するユーザ端末に、第２のコンテンツデータの属性情報を出力し、出力部は、第１のコンテンツデータの属性情報が第１のコンテンツデータを視聴するユーザ端末に出力された後でかつ第２のコンテンツデータを引用する前に、コンテンツ提供サーバから第１の投稿データを受信し、出力する。
【００２２】
本発明の第１０の特徴は、コンテンツ提供サーバに接続し、第１のコンテンツデータを視聴し、第１のコンテンツデータにおいて第２のコンテンツデータを引用するユーザ端末に用いられるユーザプログラムに関する。本発明の第１０の特徴に係るユーザプログラムは、コンピュータを、コンテンツ提供サーバから、第１のコンテンツデータを視聴するユーザが入力した第１の投稿データと、第１のコンテンツデータと、第２のコンテンツデータを受信し、出力する出力部として機能させ、出力部は、引用可能性のある引用コンテンツデータの候補として、複数のコンテンツデータの属性情報を出力し、ユーザ端末からの回答に基づいて決定されたコンテンツデータを引用する。
【００２３】
本発明の第１１の特徴は、コンテンツ提供サーバに接続し、第１のコンテンツデータにおいて引用される第２のコンテンツデータを視聴するユーザ端末に用いられるユーザプログラムに関する。本発明の第１１の特徴に係るユーザプログラムは、コンピュータを、コンテンツ提供サーバから、第１のコンテンツデータを視聴するユーザが入力した第１の投稿データと、第２のコンテンツデータと、第２のコンテンツデータを視聴するユーザが入力した第２の投稿データとを受信し、出力する出力部として機能させ、コンテンツ提供サーバは、第１のコンテンツデータを視聴するユーザ端末に、引用可能性のある引用コンテンツデータの候補として、複数のコンテンツデータの属性情報を出力し、第１のコンテンツデータを視聴するユーザ端末からの回答に基づいて、引用するコンテンツデータを決定し、出力部は、引用可能性のある複数の引用コンテンツデータの候補に第２のコンテンツデータが含まれる場合、第１のコンテンツデータから引用される可能性を示すメッセージを出力する。
【発明の効果】
【００２４】
本発明によれば、引用したコンテンツと引用されたコンテンツとの間で、コミュニケーション可能なコンテンツ提供サーバ、コンテンツ提供プログラム、コンテンツ提供システムおよびユーザプログラムを提供することができる。
【図面の簡単な説明】
【００２５】
【図１】本発明の実施の形態に係るコンテンツ提供システムのシステム構成を説明する図である。
【図２】本発明の実施の形態に係るコンテンツ提供サーバのハードウエア構成および機能ブロックを説明する図である。
【図３】本発明の第１の実施の形態において、第２のユーザ端末に表示される画面の一例を説明する図である。
【図４】本発明の第１の実施の形態において、第１のユーザ端末に表示される画面の一例を説明する図である。
【図５】本発明の第１の実施の形態において、第２のユーザ端末に、引用通知メッセージが表示される画面の一例を説明する図である。
【図６】本発明の第１の実施の形態において、第２のユーザ端末において、第１のユーザ投稿と第２のユーザ投稿とが区分されて表示される画面の一例を説明する図である。
【図７】本発明の第１の実施の形態に係るコンテンツ提供方法を説明するシーケンス図である。
【図８】本発明の第２の実施の形態において、第２のユーザ端末に表示される第１の投稿データの数を説明する図である。
【図９】本発明の第２の実施の形態に係るコンテンツ提供方法を説明するシーケンス図である。
【図１０】本発明の第３の実施の形態において、第１のユーザ端末に表示される画面の一例を説明する図である。
【図１１】本発明の第３の実施の形態において、第２のユーザ端末に表示される画面の一例を説明する図である。
【図１２】本発明の第３の実施の形態に係るコンテンツ提供方法を説明するシーケンス図である。
【発明を実施するための形態】
【００２６】
次に、図面を参照して、本発明の実施の形態を説明する。以下の図面の記載において、同一または類似の部分には同一または類似の符号を付している。
【００２７】
本発明の実施の形態において「投稿」は、動画などのコンテンツを視聴中に入力されたデータであって、投稿により、他のユーザとコミュニケーションをとることも可能である。「投稿」を、「コメント」、「リアクション」と称する場合もある。
【００２８】
本発明の実施の形態において「リアルタイム」は、厳密な意味で時間が完全に一致する場合のみならず、各装置において速やかに処理される場合を含み、伝送や処理に伴う遅延が生じる場合も許容する。
【００２９】
（第１の実施の形態）
図１を参照して、本発明の第１の実施の形態に係るコンテンツ提供サーバ１が用いられるコンテンツ提供システム２を説明する。コンテンツ提供システム２は、コンテンツ提供サーバ１、第１のユーザ端末３および第２のユーザ端末４を備える。コンテンツ提供サーバ１、第１のユーザ端末３および第２のユーザ端末４は、インターネット等の通信ネットワーク９により、相互に通信可能に接続される。
【００３０】
第１のユーザ端末３および第２のユーザ端末４は、コンピュータ、スマートフォン、タブレット等の情報端末であって、コンテンツ提供サーバ１によって提供されたコンテンツを視聴するユーザが利用する端末である。本発明の実施の形態において、コンテンツは、例えば動画データである。
【００３１】
図１に示す例において、コンテンツ提供システム２が、第１のユーザ端末３および第２のユーザ端末４を、１つずつ備える場合を説明するが、各端末の数はこれに限るものではない。
【００３２】
第１のユーザ端末３および第２のユーザ端末４は、それぞれ、処理装置、記憶装置および通信装置を備える一般的なコンピュータである。一般的なコンピュータがユーザプログラムを実行することにより、所定の機能を実現する。
【００３３】
第１のユーザ端末３は、コンテンツ提供サーバ１から提供される第１のコンテンツデータＭ１を、リアルタイムに視聴する。第１のユーザ端末３は、コンテンツ提供サーバ１から、第１のコンテンツデータＭ１および第１の投稿データＰ１を受信し、第１のコンテンツデータＭ１および第１の投稿データＰ１を出力する出力部を備える。また第１のユーザ端末３は、第１のコンテンツデータＭ１において、第２のコンテンツデータＭ２を引用する場合、コンテンツ提供サーバ１から、第２のコンテンツデータを受信し、出力する。
【００３４】
第１のユーザ端末３は、第１のコンテンツデータＭ１の所定のタイミングに対応づけた投稿データを、コンテンツ提供サーバ１に送信し、第１のコンテンツデータＭ１を視聴する各ユーザの投稿データを含む第１の投稿データＰ１を受信する。第１のユーザ端末３は、第１のコンテンツデータＭ１に、第１の投稿データＰ１を重畳して出力する。第１の投稿データＰ１は、第１のコンテンツデータＭ１の再生タイミングにあわせて出力され、画面上を流れるように表示される。
【００３５】
第２のユーザ端末４は、コンテンツ提供サーバ１から提供される第２のコンテンツデータＭ２を視聴し、第１のユーザ端末３と同様に動作する。
【００３６】
第１の実施の形態において、第１のコンテンツデータＭ１において第２のコンテンツデータＭ２を引用する場合、第１のユーザ端末３は、第２のコンテンツデータＭ２を出力する。第２のユーザ端末４は、第１の投稿データＰ１と、第１のコンテンツデータＭ１の視聴者による盛り上がりの指標を出力する。
【００３７】
コンテンツ提供サーバ１は、第１のユーザ端末３および第２のユーザ端末４に、動画を含むコンテンツを提供する。コンテンツ提供サーバ１は、図２に示すように、処理装置１０、記憶装置２０および通信制御装置３０を備える一般的なコンピュータである。一般的なコンピュータがコンテンツ提供プログラムを実行することにより、図２に示す機能を実現する。
【００３８】
処理装置１０は、ＣＰＵ（Central Processing Unit）であって、記憶装置２０に記憶されたデータを読み書きしたり、通信制御装置３０とデータを入出力したりして、コンテンツ提供サーバ１における処理を実行する。記憶装置２０は、ＲＯＭ（Read Only Memory）、ＲＡＭ（Random access memory）、ハードディスク等であって、処理装置１０が処理を実行するための入力データ、出力データおよび中間データなどの各種データを記憶する。通信制御装置３０は、通信ネットワーク９とデータを送受信するインタフェースである。
【００３９】
記憶装置２０は、コンテンツ提供プログラムを記憶するとともに、第１のコンテンツデータＭ１、第２のコンテンツデータＭ２、第１の投稿データＰ１および第２の投稿データＰ２を記憶する。
【００４０】
第１のコンテンツデータＭ１および第２のコンテンツデータＭ２は、それぞれ、第１のユーザ端末３および第２のユーザ端末４に提供されるコンテンツデータである。本発明の実施の形態において、第１のコンテンツデータＭ１および第２のコンテンツデータＭ２は、リアルタイムに動画を生成しユーザ端末に提供する生放送用の動画データである場合を説明するが、予め作成された動画データであっても良い。
【００４１】
第１の投稿データＰ１は、第１のコンテンツデータＭ１を視聴する第１のユーザ端末３から取得した投稿データであって、第１のコンテンツデータＭ１の再生時刻と対応づけられる。第２の投稿データＰ２は、第２のコンテンツデータＭ２を視聴する第２のユーザ端末４から取得した投稿データであって、第２のコンテンツデータＭ２の再生時刻と対応づけられる。第１の投稿データＰ１および第２の投稿データＰ２は、テキストデータであっても良いし、画像データまたは動画データであっても良い。
【００４２】
処理装置１０は、取得部１１および出力部１２を備える。
【００４３】
取得部１１は、第１のコンテンツデータＭ１、第２のコンテンツデータＭ２、第１の投稿データＰ１および第２の投稿データＰ２を取得する。取得部１１は、第１のコンテンツデータＭ１を視聴中の第１のユーザ端末３から、第１の投稿データＰ１を取得するとともに、第２のコンテンツデータＭ２を視聴中の第２のユーザ端末４から、第２の投稿データＰ２を取得する。取得部１１は、取得した第１のコンテンツデータＭ１、第２のコンテンツデータＭ２、第１の投稿データＰ１および第２の投稿データＰ２を、記憶装置２０に記憶する。第１のコンテンツデータＭ１または第２のコンテンツデータＭ２が、生放送用の動画データである場合、取得部１１は、カメラ等から各データを逐次取得して、記憶装置２０に記憶する。
【００４４】
出力部１２は、第１のユーザ端末３および第２のユーザ端末４に、コンテンツデータおよび投稿データを出力する。出力部１２は、第１のユーザ端末３に、第１のコンテンツデータＭ１と第１の投稿データＰ１を出力するとともに、第２のユーザ端末４に、第２のコンテンツデータＭ２と第２の投稿データＰ２を出力する。出力部１２は、所定のコンテンツデータと、このコンテンツデータを視聴しているユーザが入力した投稿データとを対応づけて、このユーザの端末に送信するが、所定のコンテンツデータにおいて、他のコンテンツデータを引用することも可能である。
【００４５】
本発明の実施の形態において「引用」とは、所定のコンテンツデータにおいて、他のコンテンツデータを再生することをいう。例えば、第１のユーザ端末３で視聴される第１のコンテンツデータＭ１において第２のコンテンツデータＭ２を引用する場合、第１のユーザ端末３において、第２のコンテンツデータＭ２が出力される。コンテンツの引用形式は下記の一例に示すようにいくつか考えられるが、引用形式は問わない。
【００４６】
（１）第１のコンテンツデータＭ１を、第２のコンテンツデータＭ２に差し替える方法：この場合、第１のユーザ端末３において、第１のコンテンツデータＭ１として第２のコンテンツデータＭ２が再生される。第１のコンテンツデータＭ１は、第２のコンテンツデータＭ２の複製となる。
【００４７】
（２）第１のコンテンツデータＭ１と、第２のコンテンツデータＭ２の両方を再生する方法：例えば、第１のユーザ端末３において第２のコンテンツデータＭ２が再生され、ＰＩＰ（ピクチャーインピクチャー）形式で、第１のコンテンツデータＭ１が再生される。逆に、第１のユーザ端末３において第１のコンテンツデータＭ１が再生され、ＰＩＰ形式で、第２のコンテンツデータＭ２が再生される。或いは、第１のユーザ端末３の表示画面を分割し、第１のコンテンツデータＭ１と第２のコンテンツデータＭ２とを並べて再生しても良い。
【００４８】
コンテンツデータが引用された場合、引用したコンテンツを視聴するユーザが入力した投稿データは、引用されたコンテンツを視聴するユーザの端末にも配信される。具体的には出力部１２は、第１のコンテンツデータＭ１において第２のコンテンツデータＭ２を引用して出力する場合、第１のユーザ端末３に、第２のコンテンツデータＭ２を出力し、第２のユーザ端末４に、第１の投稿データＰ１を出力する。例えば、図３に示すように、第２のユーザ端末４の画面Ｖ１１に、第２のコンテンツデータＭ２として、野球の試合の動画データが出力されるとともに、第１のユーザ投稿データＣ１１ａおよび第２のユーザ投稿データＣ１１ｂが出力される。
【００４９】
第１のコンテンツデータＭ１と第２のコンテンツデータＭ２の視聴者は、原則異なる。また第１のコンテンツデータＭ１において第２のコンテンツデータＭ２を視聴する場合、第１のコンテンツデータＭ１の作成者（オーサー）は、第１のコンテンツデータＭ１において、第２のコンテンツデータＭ２に対して音声や動画などで見解を示すことが可能であるので、第１のコンテンツデータＭ１を視聴しているユーザは、第１のコンテンツデータＭ１の作成者の見解を踏まえた投稿を入力することが可能である。
【００５０】
例えば、図３に示す例において、第１のコンテンツデータＭ１の作成者がＡチームを贔屓しており、第２のコンテンツデータＭ２の作成者がＢチームを贔屓している場合、第１のコンテンツデータＭ１の視聴者はＡチームを贔屓し、第２のコンテンツデータＭ２の視聴者はＢチームを贔屓する場合がある。
【００５１】
従って、第１のコンテンツデータＭ１を視聴中のユーザが、引用された第２のコンテンツデータＭ２を視聴して入力する投稿は、第２のコンテンツデータＭ２を視聴中のユーザが入力する投稿と比較して、視点、形式、雰囲気などの趣が異なる場合がある。第２のコンテンツデータＭ２を視聴中のユーザは、異なる属性を有するユーザの投稿を参照することにより、コンテンツおよび投稿データを介して、異なる属性を有するユーザとコミュニケーションをすることが可能になる。
【００５２】
また、双方向のコミュニケーションを可能にするために、出力部１２は、第１のユーザ端末３に、さらに、第２の投稿データＰ２を出力しても良い。具体的には、図４に示すように、第１のユーザ端末３の画面Ｖ１２に、第１のコンテンツデータＭ１として、第１のコンテンツデータＭ１を引用した野球の試合の動画データが出力されるとともに、第１のユーザ投稿データＣ１２ａおよび第２のユーザ投稿データＣ１２ｂが出力される。
【００５３】
このように第２のコンテンツデータＭ２と、第２のコンテンツデータＭ２を引用した第１のコンテンツデータＭ１の両方に、第１の投稿データＰ１および第２の投稿データＰ２を対応づけて出力する。これにより第１の実施の形態において、第１のコンテンツデータＭ１の視聴者と、第２のコンテンツデータＭ２の視聴者が、双方向でコミュニケーションすることが可能になる。
【００５４】
出力部１２は、第２のユーザ端末４に、第１の投稿データＰ１を間引いて出力しても良い。例えば、第２のコンテンツデータＭ２が、有名人による番組または著名番組の場合、複数のコンテンツデータが第２のコンテンツデータＭ２を引用し、第２のコンテンツデータＭ２について、複数の派生番組が生成される可能性が考えられる。従って、第２のユーザ端末４に、第２の投稿データＰ２と、第２のコンテンツデータＭ２を引用した各コンテンツデータの投稿データの全てを出力すると、投稿が重なり合い、コンテンツおよび投稿の視認性が低下する可能性がある。従って、出力部１２は、第１の投稿データＰ１に含まれる複数の投稿のうち、いくつかの投稿をピックアップして、第２のユーザ端末４に出力するようにしても良い。出力部１２は、第２のユーザ端末４に出力する投稿を、ランダムに選択しても良いし、所定のルールに従って選択しても良い。また、第２のコンテンツデータＭ２を引用する複数のコンテンツデータ毎に、異なる手法で、投稿をピックアップしても良い。
【００５５】
出力部１２は、第２のユーザ端末４に、他のコンテンツデータから引用されたことを示すメッセージを出力しても良い。例えば図５に示すように、第２のユーザ端末の画面Ｖ１３において、第２のユーザ投稿データＣ１３ａが出力されるとともに、引用通知メッセージＣ１３ｂが出力される。引用通知メッセージＣ１３ｂにおいては、「Ｋ番組に引用されました」などと、引用した番組（第１のコンテンツデータＭ１）の名称等の属性を明記しても良い。引用された旨が第２のユーザ端末４に出力されることにより、第２のユーザ端末４のユーザに、これから趣が異なる投稿を参照できることを予告することができる。
【００５６】
さらに出力部１２は、第２のユーザ端末４に、第１のコンテンツデータＭ１の視聴者による盛り上がりの指標を出力しても良い。盛り上がりの指標は、第１のコンテンツデータＭ１における視聴者数、単位時間あたりの投稿数などである。例えば、図５に示すように、第２のユーザ端末の画面Ｖ１３において、盛り上がり指標メッセージＣ１３ｃが出力される。盛り上がり指標メッセージＣ１３ｃは、「Ｋ番組は、５００コメント／分！」などの盛り上がり指標を明記する。
【００５７】
出力部１２は、任意のタイミングで、他コンテンツデータにおける盛り上がりの指標を出力する。出力部１２は、例えば、他コンテンツデータが第２のコンテンツデータＭ２を引用する度に、他コンテンツデータにおける盛り上がりの指標を出力しても良いし、所定のタイミングで、他コンテンツデータにおける盛り上がりの指標を出力しても良い。また出力部１２は、他コンテンツデータを視聴するためのリンクも出力しても良い。
【００５８】
盛り上がりの指標が第２のユーザ端末４に出力されることにより、第２のユーザ端末４のユーザは、第１のコンテンツデータＭ１を視聴するきっかけとなる場合がある。
【００５９】
また第２のユーザ端末４に、第１の投稿データＰ１が表示されるので、第２のユーザ端末４のユーザは、投稿データから、第１のコンテンツデータＭ１および第２のコンテンツデータＭ２のうち、自身の嗜好にあうコンテンツデータを選定することが可能になる。例えば、第２のユーザ端末４のユーザが、第１の投稿データＰ１を参照して、第１のコンテンツデータＭ１の方が面白そうと感じた場合、第２のコンテンツデータＭ２の視聴を中止し、第１のコンテンツデータＭ１を視聴することが可能になる。第１のコンテンツデータＭ１において第２のコンテンツデータＭ２が引用されているので、コンテンツの内容が大きく異なることはなく、ユーザは、各コンテンツにおける投稿データを参照して、視聴するコンテンツを選択することも可能である。
【００６０】
第２のユーザ端末４において、第１の投稿データＰ１および第２の投稿データＰ２が出力されるので、出力部１２は、第２のユーザ端末４の第２のコンテンツデータＭ２の再生画面上に、第１の投稿データＰ１と第２の投稿データＰ２を区別して出力しても良い。また、第１のユーザ端末３において、第１の投稿データＰ１および第２の投稿データＰ２が出力される場合も同様に、区別して出力しても良い。
【００６１】
例えば、第１の投稿データＰ１と第２の投稿データＰ２とで、文字の色、濃さまたは大きさ、投稿データを流す速度または方向、投稿データに付加する記号または文字、投稿データを表示するコンテンツ再生画面上のエリア等の出力態様を変更する。ここで、コンテンツ再生画面上のエリアを変更するとは、図６に示すように、第２のユーザ端末４の第２のコンテンツデータＭ２を再生する画面Ｖ１４において、上方に、第１のユーザ投稿データを表示する表示部Ｖ１４ａを設け、下方に、第２のユーザ投稿データを表示する表示部Ｖ１４ｂを設ける。図６は、上下方向に均等に分割する場合を説明したが、左右などの任意の方向に分割しても良いし、不均等に分割しても良い。また、矛盾しない限りにおいて、各表示態様を組み合わせても良い。
【００６２】
例えば、図３に示すように第２のユーザ端末４の画面Ｖ１１において、第１のユーザ投稿データＶ１１ａは、小さく細いフォントで表示され、第２のユーザ投稿データＶ１１ｂは、大きく太いフォントで表示される。一方、図４に示すように、第１のユーザ端末３の画面Ｖ１２において、第１のユーザ投稿データＶ１２ａは、大きく太いフォントで表示され、第２のユーザ投稿データＶ１２ｂは、小さく細いフォントで表示される。
【００６３】
図７を参照して、第１の実施の形態に係るコンテンツ提供方法を説明する。
【００６４】
コンテンツが引用されていない状態において、コンテンツ提供サーバ１は、第１のユーザ端末３に、第１のコンテンツデータＭ１を出力し、第２のユーザ端末４に、第２のコンテンツデータＭ２を出力する。コンテンツ提供サーバ１は、その後、コンテンツが終了するなどの所定の条件を満たすまで、連続的に各コンテンツを出力する。
【００６５】
コンテンツ提供サーバ１は、ステップＳ１において、第１のコンテンツデータＭ１を出力した第１のユーザ端末３から、第１の投稿データＰ１を取得する。コンテンツ提供サーバ１は、ステップＳ２において同様に、第２のコンテンツデータＭ２を出力した第２のユーザ端末４から、第２の投稿データＰ２を取得する。その後、コンテンツ提供サーバ１は、ステップＳ３およびＳ４において、第１のユーザ端末３に、第１のコンテンツデータＭ１および第１の投稿データＰ１を出力し、第２のユーザ端末４に、第２のコンテンツデータＭ２および第２の投稿データを出力する。
【００６６】
ステップＳ１１において、第１のコンテンツデータＭ１の作成者の指示等により、第１のコンテンツデータＭ１において第２のコンテンツデータＭ２の引用が開始される。その場合、コンテンツ提供サーバ１は、ステップＳ１２において、第１のユーザ端末３に、第１のコンテンツデータＭ１、第２のコンテンツデータＭ２および第１の投稿データＰ１を出力する。引用することにより、双方向に投稿データを出力する場合、コンテンツ提供サーバ１は、ステップＳ１２においてさらに、第１のユーザ端末３に、第２の投稿データＰ２を出力する。コンテンツ提供サーバ１は、ステップＳ１３において、第２のユーザ端末４に、第２のコンテンツデータＭ２、第１の投稿データＰ１および第２の投稿データＰ２を出力する。
【００６７】
またステップＳ１４において、コンテンツ提供サーバ１は、第２のユーザ端末４に、第１のコンテンツデータＭ１で第２のコンテンツデータＭ２が引用された旨のメッセージを出力する。ステップＳ１５において、コンテンツ提供サーバ１は、第２のユーザ端末４に、第１のコンテンツデータＭ１での盛り上がりの指標を通知するメッセージを出力する。
【００６８】
ステップＳ１２ないしステップＳ１５の処理は、第２のコンテンツデータＭ２の引用が終了するまで、断続的に繰り返されても良い。
【００６９】
このように第１の実施の形態に係るコンテンツ提供サーバ１は、引用されたコンテンツデータを出力するユーザ端末に、引用したコンテンツデータの情報または投稿データを表示することにより、他のコンテンツデータの魅力を伝えることが可能になる。
【００７０】
また第１の実施の形態に係るコンテンツ提供サーバ１は、引用されるコンテンツを視聴するユーザは、引用したコンテンツを視聴するユーザの入力した投稿を参照し、交流することが可能になる。また、引用したコンテンツデータの盛り上がりの指標等を、引用されたコンテンツデータを出力するユーザ端末に出力することにより、引用されたコンテンツデータの視聴者は、同様のコンテンツにおける他コンテンツの視聴を開始するなど、魅力的なコンテンツに誘導することが可能になる。
【００７１】
これにより各コンテンツデータの作成者および視聴者は、自身が作成または視聴するコンテンツにより多くの視聴者を呼び込むために、魅力的なコンテンツを作成する動機付けになりうる。
【００７２】
（第２の実施の形態）
第２の実施の形態において、コンテンツ提供サーバ１の出力部１２は、第１のコンテンツデータＭ１において第２のコンテンツデータＭ２を引用する前、第１のユーザ端末３に、第２のコンテンツデータＭ２の属性情報を出力する。コンテンツ提供サーバ１は、第１のコンテンツデータＭ１の属性情報を出力した後でかつ第２のコンテンツデータＭ２を引用する前に、第１の投稿データＰ１を、第２のユーザ端末４に出力する。
【００７３】
コンテンツ提供サーバ１は、引用を開始する前に、引用対象のコンテンツデータについて、タイトル、ジャンルまたはキーワード等のタグ情報、参加人数等の属性情報を、引用するコンテンツデータを視聴するユーザ端末に出力する。これにより、引用するコンテンツデータの視聴者は、引用されるコンテンツデータの属性情報に対して、感想などを投稿することが可能になる。このような引用されるコンテンツデータの属性情報を視聴したユーザの投稿データが表示されることにより、引用されるコンテンツデータの視聴者は、他のコンテンツデータの視聴者から見た客観的な感想や評価を得ることができる。また、引用されたコンテンツデータの視聴者は、引用前から引用するコンテンツデータにおける投稿データを参照することにより、コンテンツデータの引用が開始された後に出力される引用したコンテンツデータの視聴者の投稿データに対して、期待することが可能になる。
【００７４】
ここでコンテンツ提供サーバ１の出力部１２は、第２のコンテンツデータＭ２を引用した後、第２のユーザ端末４に、引用する前に比べてより多くの第１の投稿データが出力されるように調整する。第２の実施の形態に係るコンテンツ提供サーバ１は、第１のコンテンツデータＭ１において第２のコンテンツデータＭ２を引用する前から、第１のコンテンツデータＭ１の視聴者の投稿データを、第２のコンテンツデータＭ２の視聴者の第１のユーザ端末３に出力する。このときに、第１のコンテンツデータＭ１において第２のコンテンツデータＭ２を引用している間、引用する前よりも、単位時間あたりの投稿数が少なくなるように制御される。
【００７５】
例えば、図８に示すように、コンテンツ提供サーバ１は、投稿データの引用開始、コンテンツデータの引用開始、コンテンツデータの引用終了および投稿データの引用終了の順で、各フェーズを制御する。コンテンツの引用開始からコンテンツの引用終了までの間、引用されるコンテンツデータにおいて引用するコンテンツデータのコメントの数は、全フェーズにおいて、最も多くなる。なお、図８においては、一定数になっているが、第１のコンテンツデータＭ１におけるコメント数に応じて、随時変更される。
【００７６】
投稿データの引用開始、コンテンツデータの引用開始、コンテンツデータの引用終了および投稿データの引用終了のタイミングは、任意のルールで決定される。例えば、コンテンツデータの引用開始および終了のタイミングは、第１のコンテンツデータＭ１（引用するコンテンツデータ）の作成者の指示により決定される。また投稿データの引用開始および終了のタイミングも、第１のコンテンツデータＭ１の作成者の指示により決定されても良い。また、投稿データの引用開始から所定時間後にコンテンツデータの引用が開始され、コンテンツデータの引用終了から所定時間後に、投稿データの引用が終了するように制御されても良い。
【００７７】
第２の実施の形態において、第２のコンテンツデータＭ２の引用前に、第１のコンテンツデータＭ１とともに、第２のコンテンツデータＭ２の属性が出力され、この属性に対する投稿が入力される。そこでコンテンツ提供サーバ１は、第１のコンテンツデータＭ１を視聴する第１のユーザ端末３に第２のコンテンツデータＭ２の属性を出力してから、第２のコンテンツデータＭ２を出力するまでの間、第２のユーザ端末４に出力される第１の投稿データＰ１の数を、徐々に多くなるように制御する。これにより、第２のコンテンツデータＭ２の引用に向けて、第２のユーザ端末４に表示される第１の投稿データＰ１の数が徐々に多くなり、第２のコンテンツデータの視聴者（第２のユーザ端末４のユーザ）の引用に対する期待感、より具体的には、第１の投稿データＰ１が第２のユーザ端末４に表示されることに対する期待感を誘うことが可能になる。
【００７８】
同様に、コンテンツ提供サーバ１は、第１のコンテンツデータＭ１において第２のコンテンツデータＭ２の引用を終了してから所定期間の間、第２のユーザ端末４に出力される第１の投稿データＰ１の数を、徐々に少なくなるように制御しても良い。これにより、第２のコンテンツデータＭ２が引用された後の第１の投稿データは、第２のコンテンツデータＭ２が引用された間の総括的な感想含む場合があり、第１のコンテンツデータＭ１の視聴者は、このような第２のコンテンツデータＭ２の総括的な評価を得ることができる。第２のユーザ端末４に出力される第１の投稿データＰ１の数を、徐々に少なくなるように制御することにより、第１のコンテンツデータＭ１において第２のコンテンツデータＭ２が引用されていた際の賑わいを際だたせ、他のコンテンツデータから引用されることへの期待感を植え付けることが可能になる。
【００７９】
なお図８に示す例において、投稿データの引用開始からコンテンツデータの引用開始まで、およびコンテンツデータの引用終了から投稿データの引用終了までの間、投稿データの数が直線的に増減する場合を説明したが、これに限らない。例えば、指数関数的に増減しても良い。また、投稿データの引用開始からコンテンツデータの引用開始までの間に、増減を繰り返しながら徐々に増えるように制御し、コンテンツデータの引用終了から投稿データの引用終了までの間に、増減を繰り返しながら徐々に減るように制御しても良い。
【００８０】
図９を参照して、第２の実施の形態に係るコンテンツ提供方法を説明する。図９のステップＳ１ないしステップＳ４は、図７のステップＳ１ないしステップＳ４と同様であるので説明を省略する。
【００８１】
ステップＳ３１において、第１のコンテンツデータＭ１の作成者の指示等により、第１のコンテンツデータＭ１において第２のコンテンツデータＭ２の引用することが決定される。ステップＳ３２においてコンテンツ提供サーバ１は、第２のコンテンツデータＭ２の属性を、第１のユーザ端末３に出力する。ステップＳ３３においてコンテンツ提供サーバ１は、第２のコンテンツデータＭ２、第１の投稿データＰ１および第２の投稿データＰ２を、第２のユーザ端末４に出力する。
【００８２】
ステップＳ３４において、第１のコンテンツデータＭ１における第２のコンテンツデータの引用が開始する。ステップＳ３５においてコンテンツ提供サーバ１は、第１のコンテンツデータＭ１、第２のコンテンツデータＭ２および第１の投稿データＰ１を、第１のユーザ端末３に出力する。ステップＳ３６においてコンテンツ提供サーバ１は、第２のコンテンツデータＭ２、第１の投稿データＰ１および第２の投稿データＰ２を、第２のユーザ端末４に出力する。
【００８３】
ステップＳ３７において、第１のコンテンツデータＭ１における第２のコンテンツデータの引用が終了する。ステップＳ３８においてコンテンツ提供サーバ１は、第１のコンテンツデータＭ１および第１の投稿データＰ１を、第１のユーザ端末３に出力する。ステップＳ３９においてコンテンツ提供サーバ１は、第２のコンテンツデータＭ２、第１の投稿データＰ１および第２の投稿データＰ２を、第２のユーザ端末４に出力する。
【００８４】
ステップＳ４０において、第２のコンテンツデータＭ２における第１の投稿データＰ１の引用が終了する。ステップＳ４１においてコンテンツ提供サーバ１は、第１のコンテンツデータＭ１および第１の投稿データＰ１を、第１のユーザ端末３に出力する。ステップＳ４２においてコンテンツ提供サーバ１は、第２のコンテンツデータＭ２、第２の投稿データＰ２を、第２のユーザ端末４に出力する。
【００８５】
第２の実施の形態において、コンテンツ提供サーバ１は、コンテンツデータを引用する間のみならず、その前後においても、投稿データを引用することにより、引用されるコンテンツデータの視聴者は、引用するコンテンツデータの視聴者による引用されるコンテンツデータに対する感想を、得ることができる。
【００８６】
またコンテンツデータを引用する間、コンテンツデータを引用する前後よりも多いコメントデータが出力されるように制御することにより、コンテンツデータを引用する間の賑わいを強調する演出を実現する。
【００８７】
（第３の実施の形態）
第３の実施の形態において、コンテンツ提供サーバ１は、ユーザ端末によるアンケート回答に基づいて、引用されるコンテンツを決定する。コンテンツ提供サーバ１の出力部１２は、第１のユーザ端末３に、引用可能性のある引用コンテンツデータの候補として、複数のコンテンツデータの属性情報を出力し、第１のユーザ端末３からの回答に基づいて、引用するコンテンツデータを決定する。
【００８８】
コンテンツ提供サーバ１は、第１のコンテンツデータＭ１を第１のユーザ端末３に出力する際、例えば、図１０に示すような第１のユーザ端末画面Ｖ３１を、第１のユーザ端末３に出力する。第１のユーザ端末画面Ｖ３では、第１のコンテンツデータＭ１において引用するコンテンツの候補の属性情報として、ＫコンテンツとＭコンテンツの２つのコンテンツのコンテンツ名が記載されている。コンテンツ提供サーバ１は、引用するコンテンツの属性情報として、単位時間あたりの投稿数、コンテンツデータの作成者の経歴等を表示しても良い。
【００８９】
第１のユーザ端末３は、ユーザによって選択されたコンテンツ名を、コンテンツ提供サーバ１に送信し、コンテンツ提供サーバ１は、第１のユーザ端末３から送信されたコンテンツ名を集計する。集計の結果、多くのユーザ端末によって選択されたコンテンツ名を、第１のコンテンツデータＭ１において引用する。
【００９０】
ここでコンテンツ提供サーバ１の出力部１２は、引用可能性のある複数の引用コンテンツデータの候補に第２のコンテンツデータＭ２が含まれる場合、第２のユーザ端末４に、第１のコンテンツデータＭ１から引用される可能性を示すメッセージを出力する。
【００９１】
コンテンツ提供サーバ１は、第１のユーザ端末３に、図１０に示す第１のユーザ端末画面Ｖ３１を出力する際、第２のユーザ端末４に、図１１に示す第２のユーザ端末画面Ｖ３２を出力する。第２のユーザ端末画面Ｖ３２は、第２のコンテンツデータＭ２および第２の投稿データＰ２を表示するとともに、引用可能性メッセージＣ３２ａを表示する。引用可能性メッセージＣ３２ａは、「他番組から引用されそうです」などと、第２のコンテンツデータＭ２が他のコンテンツデータから引用される可能性があることを明記する。引用可能性メッセージＣ３２ａは、「他番組」ではなく、「Ｌ番組」などと番組を特定する情報を明記しても良い。
【００９２】
図１２を参照して、第３の実施の形態に係るコンテンツ提供方法を説明する。図１２のステップＳ１ないしステップＳ４は、図７のステップＳ１ないしステップＳ４と同様であるので説明を省略する。
【００９３】
ステップＳ５１において、第１のコンテンツデータＭ１の作成者等の指示により、第１のコンテンツデータＭ１において、他のコンテンツデータを引用することが決定される。ステップＳ５２においてコンテンツ提供サーバ１は、第１のユーザ端末３に、図９に示すように引用コンテンツデータの候補を出力して、第１のユーザ端末３からの回答を待機する。またステップＳ５２で表示した引用コンテンツデータの候補に、第２のコンテンツデータＭ２が含まれる場合、ステップＳ５３においてコンテンツ提供サーバ１は、第２のユーザ端末４に、引用される可能性があることを示すメッセージを出力する。ステップＳ５３においてコンテンツ提供サーバ１は、第１のユーザ端末３から、ステップＳ５２で出力した候補のいずれかの選択結果を取得する。
【００９４】
ステップＳ５４の選択結果に基づいて、ステップＳ５５においてコンテンツ提供サーバ１は、引用するコンテンツを決定する。ここでは、第２のコンテンツデータＭ２を引用すると決定する場合、コンテンツ提供サーバ１は、第１のコンテンツデータＭ１において、第２のコンテンツデータＭ２の引用を開始する。具体的には、ステップＳ５６においてコンテンツ提供サーバ１は、第２のユーザ端末４に、第２のコンテンツデータ、第１の投稿データＰ１および第２の投稿データＰ２を出力する。
【００９５】
このように引用するコンテンツをアンケートにより決定することにより、引用されるコンテンツの作成者は、魅力的な属性情報を付与する動機付けとなりうる。また引用ｓあれるコンテンツの候補として選ばれたことを通知することにより、番組に動きを与え、引用されることへの期待感を誘うことが可能になる。
【００９６】
（その他の実施の形態）
上記のように、本発明の第１ないし第３の実施の形態によって記載したが、この開示の一部をなす論述および図面はこの発明を限定するものであると理解すべきではない。この開示から当業者には様々な代替実施の形態、実施例および運用技術が明らかとなる。
【００９７】
例えば、本発明の実施の形態に記載したコンテンツ提供サーバは、図２に示すように一つのハードウエア上に構成されても良いし、その機能や処理数に応じて複数のハードウエア上に構成されても良い。また、既存のコンテンツ提供システム上に実現されても良い。
【００９８】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００９９】
１  コンテンツ提供サーバ
２  コンテンツ提供システム
３  第１のユーザ端末
４  第２のユーザ端末
９  通信ネットワーク
１０  処理装置
１１  取得部
１２  出力部
２０  記憶装置
Ｍ１  第１のコンテンツデータ
Ｍ２  第２のコンテンツデータ
Ｐ１  第１の投稿データ
Ｐ２  第２の投稿データ
【図１】
2019096122.tif 000003
【図２】
2019096122.tif 000004
【図３】
2019096122.tif 000005
【図４】
2019096122.tif 000006
【図５】
2019096122.tif 000007
【図６】
2019096122.tif 000008
【図７】
2019096122.tif 000009
【図８】
2019096122.tif 000010
【図９】
2019096122.tif 000011
【図１０】
2019096122.tif 000012
【図１１】
2019096122.tif 000013
【図１２】
2019096122.tif 000014
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のユーザ端末に、さらに、前記第２の投稿データを出力する
ことを特徴とするコンテンツ提供サーバ。
【請求項２】
前記出力部は、前記第２のユーザ端末に、前記第１のコンテンツデータの視聴者による盛り上がりの指標を出力する
ことを特徴とする請求項１に記載のコンテンツ提供サーバ。
【請求項３】
前記出力部は、前記第２のユーザ端末に、前記第１の投稿データを間引いて出力する
ことを特徴とする請求項１に記載のコンテンツ提供サーバ。
【請求項４】
前記第２のコンテンツデータは、動画データであって、
前記出力部は、第２のユーザ端末の前記第２のコンテンツデータの再生画面上に、前記第１の投稿データと前記第２の投稿データを区別して出力する
ことを特徴とする請求項１に記載のコンテンツ提供サーバ。
【請求項５】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のコンテンツデータにおいて前記第２のコンテンツデータを引用する前、前記第１のユーザ端末に、前記第２のコンテンツデータの属性情報を出力し、前記第１のコンテンツデータの属性情報を出力した後でかつ前記第２のコンテンツデータを引用する前に、前記第１の投稿データを、前記第２のユーザ端末に出力する
ことを特徴とするコンテンツ提供サーバ。
【請求項６】
前記出力部は、
前記第２のコンテンツデータを引用した後、前記第２のユーザ端末に、引用する前に比べてより多くの第１の投稿データが出力されるように調整する
ことを特徴とする請求項５に記載のコンテンツ提供サーバ。
【請求項７】
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のユーザ端末に、複数のコンテンツデータの属性情報を出力し、前記第１のユーザ端末からの回答に基づいて、引用するコンテンツデータを決定する
ことを特徴とするコンテンツ提供サーバ。
【請求項８】
前記出力部は、
前記複数のコンテンツデータに前記第２のコンテンツデータが含まれる場合、前記複数のコンテンツデータの属性情報を前記第１のユーザ端末に出力する際に、前記第２のユーザ端末に、前記第１のコンテンツデータから引用される可能性を示すメッセージを出力する
ことを特徴とする請求項７に記載のコンテンツ提供サーバ。
【請求項９】
コンピュータを、請求項１ないし請求項８のいずれか１項に記載のコンテンツ提供サーバとして機能させるためのコンテンツ提供プログラム。
【請求項１０】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータと前記第２の投稿データを出力し、前記第２のユーザ端末に、前記第１の投稿データを出力する出力部を備え、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータと、前記第２の投稿データを出力し、
前記第２のユーザ端末は、
前記第２のコンテンツデータおよび前記第２の投稿データを出力するとともに、前記第１のコンテンツデータにおいて、前記第２のコンテンツデータを引用する場合、前記第１の投稿データを出力する
ことを特徴とするコンテンツ提供システム。
【請求項１１】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、前記第１のコンテンツデータにおいて前記第２のコンテンツデータを引用する前、前記第１のユーザ端末に、前記第２のコンテンツデータの属性情報を出力し、前記第１のコンテンツデータの属性情報を出力した後でかつ前記第２のコンテンツデータを引用する前に、前記第１の投稿データを、前記第２のユーザ端末に出力し、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータを出力し、
前記第１のコンテンツデータにおいて前記第２のコンテンツデータを引用する前、前記第１のユーザ端末に、前記第２のコンテンツデータの属性情報を出力し、
前記第２のユーザ端末は、
前記第２のコンテンツデータおよび前記第２の投稿データを出力し、
前記第１のコンテンツデータの属性情報が前記第１のユーザ端末に出力された後でかつ前記第２のコンテンツデータを引用する前に、前記第１の投稿データを出力する
ことを特徴とするコンテンツ提供システム。
【請求項１２】
第１のユーザ端末、第２のユーザ端末および前記第１のユーザ端末および前記第２のユーザ端末に接続するコンテンツ提供サーバを備えるコンテンツ提供システムであって、
前記コンテンツ提供サーバは、
第１のコンテンツデータを視聴中の第１のユーザ端末から、第１の投稿データを取得するとともに、第２のコンテンツデータを視聴中の第２のユーザ端末から、第２の投稿データを取得する取得部と、
前記第１のユーザ端末に、前記第１のコンテンツデータと第１の投稿データを出力するとともに、第２のユーザ端末に、前記第２のコンテンツデータと前記第２の投稿データを出力し、前記第１のコンテンツデータにおいて前記第２のコンテンツデータを引用して出力する場合、前記第１のユーザ端末に、前記第２のコンテンツデータを出力し、前記第２のユーザ端末に、前記第１の投稿データを出力する出力部を備え、
前記出力部は、第１のユーザ端末に、複数のコンテンツデータの属性情報を出力し、前記第１のユーザ端末からの回答に基づいて、引用するコンテンツデータを決定し、
前記第１のユーザ端末は、
前記第１のコンテンツデータおよび前記第１の投稿データを出力するとともに、前記第１のコンテンツデータにおいて、前記第２のコンテンツデータを引用する場合、前記第２のコンテンツデータを出力し、
前記第１のコンテンツデータにおいて前記第２のコンテンツデータを引用する前、前記第２のコンテンツデータの属性情報を出力し、
前記第２のユーザ端末は、
前記第２のコンテンツデータおよび前記第２の投稿データを出力し、
前記第１のコンテンツデータの属性情報が前記第１のユーザ端末に出力された後でかつ前記第２のコンテンツデータを引用する前に、前記第１の投稿データを出力する
ことを特徴とするコンテンツ提供システム。
【請求項１３】
コンテンツ提供サーバに接続し、第１のコンテンツデータにおいて引用される第２のコンテンツデータを視聴するユーザ端末に用いられるユーザプログラムであって、
コンピュータを、
前記コンテンツ提供サーバから、前記第１のコンテンツデータを視聴するユーザが入力した第１の投稿データと、前記第２のコンテンツデータと、前記第２のコンテンツデータを視聴するユーザが入力した第２の投稿データとを受信し、出力する出力部として機能させ、
前記コンテンツ提供サーバは、前記第１のコンテンツデータにおいて前記第２のコンテンツデータを引用する前、前記第１のコンテンツデータを視聴するユーザ端末に、前記第２のコンテンツデータの属性情報を出力し、
前記出力部は、前記第１のコンテンツデータの属性情報が前記第１のコンテンツデータを視聴するユーザ端末に出力された後でかつ前記第２のコンテンツデータを引用する前に、前記コンテンツ提供サーバから前記第１の投稿データを受信し、出力する
ことを特徴とするユーザプログラム。
【請求項１４】
コンテンツ提供サーバに接続し、第１のコンテンツデータを視聴し、前記第１のコンテンツデータにおいて第２のコンテンツデータを引用するユーザ端末に用いられるユーザプログラムであって、
コンピュータを、
前記コンテンツ提供サーバから、前記第１のコンテンツデータを視聴するユーザが入力した第１の投稿データと、前記第１のコンテンツデータと、前記第２のコンテンツデータを受信し、出力する出力部として機能させ、
前記出力部は、複数のコンテンツデータの属性情報を出力し、前記ユーザ端末からの回答に基づいて決定されたコンテンツデータを引用する
ことを特徴とするユーザプログラム。
【請求項１５】
コンテンツ提供サーバに接続し、第１のコンテンツデータにおいて引用される第２のコンテンツデータを視聴するユーザ端末に用いられるユーザプログラムであって、
コンピュータを、
前記コンテンツ提供サーバから、前記第１のコンテンツデータを視聴するユーザが入力した第１の投稿データと、前記第２のコンテンツデータと、前記第２のコンテンツデータを視聴するユーザが入力した第２の投稿データとを受信し、出力する出力部として機能させ、
前記コンテンツ提供サーバは、前記第１のコンテンツデータを視聴するユーザ端末に、複数のコンテンツデータの属性情報を出力し、前記第１のコンテンツデータを視聴するユーザ端末からの回答に基づいて、引用するコンテンツデータを決定し、
前記出力部は、前記複数のコンテンツデータに前記第２のコンテンツデータが含まれる場合、前記第１のコンテンツデータから引用される可能性を示すメッセージを出力する
ことを特徴とするユーザプログラム。